(57)【特許請求の範囲】
【請求項１】
（Ａ）アシル基が炭素原子数８〜２２の脂肪酸残基であるＮ−アシルスレオニン塩及び（Ｂ）炭素数８〜２２の高級脂肪酸塩を含有し、成分（Ａ）と成分（Ｂ）との配合割合（Ａ）／（Ｂ）は、（Ａ）が７０重量％未満、０．５重量％以上で、（Ｂ）は３０重量％以上、９９．５重量％以下、かつ成分（Ａ）の洗浄剤組成物中の含有量は３重量％以上、７０重量％未満であることを特徴とする洗浄剤組成物（但し、第三成分として下記一般式（１）〜（７）で表される化合物を含有するものを除く。）。
0003644074.tif 000022
（式中、Ｒ１は、炭素原子数８〜２２のアルキル基を表し、Ｍ１は、アルカリ金属、アルカリ土類金属、無機塩基、有機塩基または水素原子を表し、ｎは１〜２５の整数を表す。）
0003644074.tif 000023
（式中、Ｘ１及びＸ２は、−ＯＭ３、−ＯＲ２、−（ＯＣＨ２ＣＨ２）ｍＯＲ３、−ＮＨＲ４または−（ＯＣＨ２ＣＨ２）ｌＯＣＨ２ＣＨ２ＮＨＣＯＲ５（基中、Ｍ３は、アルカリ金属、アルカリ土類金属、無機塩基、有機塩基または水素原子を、Ｒ２、Ｒ３、Ｒ４及びＲ５は、炭素原子数８〜２２のアルキル基を、ｍ及びｌは１〜２５の整数をそれぞれ表す。）を表し、両者は同一の基であっても異なった基であってもよい。Ｍ２は、アルカリ金属、アルカリ土類金属、無機塩基、有機塩基または水素原子を表す。）
0003644074.tif 000024
（式中、Ｒ１、Ｒ２、Ｒ３、Ｒ4のうち１つまたは２つは炭素原子数８〜２２のアルキル基またはヒドロキシアルキル基を、残りは炭素原子数１〜３のアルキル基もしくはヒドロキシアルキル基、またはベンジル基を表し、Ｗはハロゲン原子または炭素原子数１もしくは２のアルキル硫酸基を表す。）
0003644074.tif 000025
（式中、Ｒ5、Ｒ６、Ｒ７のうち２つまたは３つは炭素原子数８〜２２のアルキル基またはヒドロキシアルキル基を、残りは炭素原子数１〜３のアルキル基またはヒドロキシアルキル基を表し、ｎは１〜１０の整数を、Ｘはハロゲン原子または炭素原子数１もしくは２のアルキル硫酸基を表す。）
0003644074.tif 000026
（式中、Ｒ８は炭素原子数７〜２１のアルキル基を表し、Ｒ９は炭素原子数１〜２１のアルキル基を表し、Ｙは無機酸または有機酸を表す。）
0003644074.tif 000027
（式中、Ｒ１０は炭素原子数７〜２１のアルキル基を表し、Ｒ１１は炭素原子数１〜２１のアルキル基を表し、ｍは２または３を表し、Ｚは無機酸または有機酸を表す。）
0003644074.tif 000028
（式中、Ｒ１は、炭素原子数８〜２２のアルキル基又は−（ＣＨ２）ｎＮＨＣＯＲ２（基中、Ｒ２は、炭素原子数７〜２１のアルキル基を、ｎは１〜５の整数をそれぞれ表す。）を表す。）
【発明の詳細な説明】
【０００１】
【産業上の利用分野】
本発明は、Ｎ−アシルスレオニン塩と高級脂肪酸塩とを併用した洗浄剤組成物、ならびに更に他の界面活性剤をも併用することもできる洗浄剤組成物に関する。本発明の洗浄剤組成物は、刺激が少なく安全であり、泡の保持、泡質及び使用感の改善された洗浄剤組成物である。
【０００２】
【従来の技術】
従来、シャンプー、洗顔石鹸、台所用洗剤などの陰イオン界面活性剤を主成分とする洗浄剤組成物は、高級脂肪酸塩、ポリオキシエチレンアルキルエーテル硫酸塩やアルキルベンゼンスルホン酸塩などが用いられている。しかし、これらの陰イオン界面活性剤を主成分とする洗浄剤は、洗浄力は優れているが、すすぎ時のきしみ感、使用後のつっぱり感などの使用感が十分には満足のいくものではないばかりでなく、更に皮膚に対する刺激や毛髪に対する損傷が大きいという問題をもっている。
【０００３】
また、皮膚や毛髪に対して刺激が少なく、優れた洗浄力を有する界面活性剤としてＮ−アシルアミノ酸塩が知られ、特にＮ−アシルグルタミン酸塩（「機能性化粧品」（シー・エム・シー刊、２７５頁、１９９０年））、Ｎ−アシルザルコシン塩、Ｎ−アシル−Ｎ−メチル−β−アラニン塩、Ｎ−アシルメチルタウリン塩等が広く洗浄剤に用いられている。他のＮ−アシルアミノ酸塩についても、非常に古くから研究されており、天然アミノ酸及び合成可能なアミノ酸について実際にＮ−アシルアミノ酸が合成され、検討されてきた。特に、天然アミノ酸のＮ−アシル体の検討成果に関しては、多くの報告がある。
【０００４】
近年では、Ｎ−アシルグリシン塩、Ｎ−アシル−β−アラニン塩等が水道水中のカルシウムと作るスカムが良好な感触をもつことが見いだされたと報告されている（特開平４−２１１６０７号公報）。しかしながら、この報告にあるＮ−アシルアミノ酸塩については、泡性能に関しては泡の保持、クリーミー性、起泡力、ぬめりなどの点で性能が十分とはいえなかった。
【０００５】
従来、オキシアミノ酸であるスレオニンのＮ−長鎖アシル化物を洗浄剤組成物に用いた例は少ない。特公昭３９−２９４４４号公報には、鉱油型またはアルコール系合成洗剤に対し１〜５０重量％添加配合した皮膚を荒さない洗浄剤組成物が記載されている。しかし、泡質、洗い上り感といった使用感の点では十分満足なものは得られていない。特開昭５５−９０５９４号公報には、Ｎ−アシル混合アミノ酸塩を含有する洗浄剤組成物が開示されており、Ｎ−アシルオキシアミノ酸塩が皮膚及び毛髪に対し保護作用を有することが記載されている。しかしながら、この洗浄剤組成物は泡立ち及びすすぎ時のきしみ感においては優れているものの、泡質、洗い上り感については十分ではなく、またアシルスレオニン塩単独で用いた場合も同様な問題点を有しており、加えて泡の保持が悪いという問題点も有している。
【０００６】
【発明が解決しようとする課題】
本発明の目的は、Ｎ−アシルスレオニン塩を利用した、洗浄力に優れ、泡の保持、泡質及び使用感の改善された洗浄剤組成物を提供することで、延いてはこれまで十分ではなかったＮ−アシルスレオニン塩の利用を図ることである。
【０００７】
【課題を解決するための手段】
本発明者らは、前記目的を達成すべく鋭意研究を重ねた結果、Ｎ−アシルスレオニン塩と高級脂肪酸塩とを併用することにより、またこれら両者に加えて他の界面活性剤を併用することにより、上記目的が達成されることを見いだし、このような知見に基づいて本発明を完成した。
【０００８】
すなわち、本発明は、（Ａ）アシル基が炭素原子数８〜２２の脂肪酸残基であるＮ−アシルスレオニン塩及び（Ｂ）炭素数８〜２２の高級脂肪酸塩を含有し、成分（Ａ）と成分（Ｂ）との配合割合（Ａ）／（Ｂ）は、（Ａ）が７０重量％未満、０．５重量％以上で、（Ｂ）は３０重量％以上、９９．５重量％以下、かつ成分（Ａ）の洗浄剤組成物中の含有量は３重量％以上、７０重量％未満であることを特徴とする洗浄剤組成物（但し、第三成分として下記一般式（１）〜（７）で表される化合物を含有するものを除く。）に関する。
0003644074.tif 000002
（式中、Ｒ１は、炭素原子数８〜２２のアルキル基を表し、Ｍ１は、アルカリ金属、アルカリ土類金属、無機塩基、有機塩基または水素原子を表し、ｎは１〜２５の整数を表す。）
0003644074.tif 000003
（式中、Ｘ１及びＸ２は、−ＯＭ３、−ＯＲ２、−（ＯＣＨ２ＣＨ２）ｍＯＲ３、−ＮＨＲ４または−（ＯＣＨ２ＣＨ２）ｌＯＣＨ２ＣＨ２ＮＨＣＯＲ５（基中、Ｍ３は、アルカリ金属、アルカリ土類金属、無機塩基、有機塩基または水素原子を、Ｒ２、Ｒ３、Ｒ４及びＲ５は、炭素原子数８〜２２のアルキル基を、ｍ及びｌは１〜２５の整数をそれぞれ表す。）を表し、両者は同一の基であっても異なった基であってもよい。Ｍ２は、アルカリ金属、アルカリ土類金属、無機塩基、有機塩基または水素原子を表す。）
0003644074.tif 000004
（式中、Ｒ１、Ｒ２、Ｒ３、Ｒ4のうち１つまたは２つは炭素原子数８〜２２のアルキル基またはヒドロキシアルキル基を、残りは炭素原子数１〜３のアルキル基もしくはヒドロキシアルキル基、またはベンジル基を表し、Ｗはハロゲン原子または炭素原子数１もしくは２のアルキル硫酸基を表す。）
0003644074.tif 000005
（式中、Ｒ5、Ｒ６、Ｒ７のうち２つまたは３つは炭素原子数８〜２２のアルキル基またはヒドロキシアルキル基を、残りは炭素原子数１〜３のアルキル基またはヒドロキシアルキル基を表し、ｎは１〜１０の整数を、Ｘはハロゲン原子または炭素原子数１もしくは２のアルキル硫酸基を表す。）
0003644074.tif 000006
（式中、Ｒ８は炭素原子数７〜２１のアルキル基を表し、Ｒ９は炭素原子数１〜２１のアルキル基を表し、Ｙは無機酸または有機酸を表す。）
0003644074.tif 000007
（式中、Ｒ１０は炭素原子数７〜２１のアルキル基を表し、Ｒ１１は炭素原子数１〜２１のアルキル基を表し、ｍは２または３を表し、Ｚは無機酸または有機酸を表す。）
0003644074.tif 000008
（式中、Ｒ１は、炭素原子数８〜２２のアルキル基又は−（ＣＨ２）ｎＮＨＣＯＲ２（基中、Ｒ２は、炭素原子数７〜２１のアルキル基を、ｎは１〜５の整数をそれぞれ表す。）を表す。）
【０００９】
以下、本発明を詳細に説明する。
【００１０】
本発明の洗浄剤組成物の成分（Ａ）であるＮ−アシルスレオニン塩のアシル基としては、炭素原子数８〜２２の飽和又は不飽和脂肪酸のアシル残基であり、例えば、ラウリン酸、ミリスチン酸、パルミチン酸、ステアリン酸、オレイン酸などの単一組成の脂肪酸のアシル残基が挙げられ、この他にヤシ油脂肪酸、牛脂脂肪酸、硬化牛脂脂肪酸、ヒマシ油脂肪酸、オリーブ油脂肪酸、パーム油脂肪酸などの天然より得られる混合脂肪酸あるいは合成により得られる脂肪酸（分岐鎖脂肪酸を含む）のアシル残基であってもよい。Ｎ−アシルスレオニン塩の好ましい具体例としては、Ｎ−ラウロイルスレオニン、Ｎ−ミリストイルスレオニン、Ｎ−パルミトイルスレオニン、Ｎ−ステアロイルスレオニン、Ｎ−オレオイルスレオニン、Ｎ−ココイルスレオニン、Ｎ−硬化牛脂脂肪酸アシルスレオニンなどの塩を例示することができる。そして、これらのＮ−アシルスレオニン塩は、光学活性体及びラセミ体のいずれでも良い。
【００１１】
本発明に関わるＮ−アシルスレオニン塩の塩基成分としては、ナトリウム、カリウムなどのアルカリ金属、マグネシウム、カルシウムなどのアルカリ土類金属、モノエタノールアミン、ジエタノールアミン、トリエタノールアミン、２−アミノ−２−メチル−１−プロパノール、２−アミノ−２−メチル−１，３−プロパンジオールなどの有機アミン、リジン、オルニチン、アルギニンなどの塩基性アミノ酸、アンモニア等を挙げることができる。これら塩基成分は、２種以上を組み合わせて用いても良い。
【００１２】
本発明の洗浄剤組成物の成分（Ｂ）である高級脂肪酸塩としては、炭素原子数８〜２２の直鎖または分岐鎖の飽和または不飽和のもので、好ましい具体例としては、ラウリン酸、ミリスチン酸、パルミチン酸、ステアリン酸、椰子油脂肪酸、硬化牛脂脂肪酸、ベヘニン酸、オレイン酸などの塩を挙げることができる。これらの塩の塩基成分としては、ナトリウム、カリウムなどのアルカリ金属、マグネシウム、カルシウムなどのアルカリ土類金属、モノエタノールアミン、ジエタノールアミン、トリエタノールアミン、２−アミノ−２−メチル−１−プロパノール、２−アミノ−２−メチル−１，３−プロパンジオールなどの有機アミン、リジン、オルニチン、アルギニンなどの塩基性アミノ酸、アンモニア等を挙げることができる。これら塩基成分は、単独で又は２種以上を組み合わせて用いることができる。
【００１３】
本発明の洗浄剤組成物における成分（Ａ）と成分（Ｂ）との配合割合は、目的とする製品の性能に応じて、重量比、成分（Ａ）と成分（Ｂ）との配合割合（Ａ）／（Ｂ）は、（Ａ）が７０重量％未満、０．５重量％以上で、（Ｂ）は３０重量％以上、９９．５重量％以下、かつ成分（Ａ）の洗浄剤組成物中の含有量は３重量％以上、７０重量％未満である範囲で適宜決定される。成分（Ｂ）の含有割合が０．５重量％未満の場合、泡量は十分なものの泡の保持が悪く、泡質も荒く、若干ぬるつくという洗い上り感の点でも問題を有する。また、成分（Ａ）の配合割合が０．５重量％未満の場合には、泡の保持は十分であるものの、すすぎ時にきしみ感が生じるというような使用感に問題がある上に、毛髪及び皮膚に対する刺激性においても問題を有する。
【００１４】
本発明の洗浄剤組成物における（Ａ）及び（Ｂ）の合計の配合量は、洗浄剤組成物の剤型にもより異なるが、５〜９５重量％であることが好ましい。
【００１５】
本発明は、成分（Ａ）と成分（Ｂ）に加えて更に第三成分として他の界面活性剤を適量配合することにより、起泡性及び泡保持に優れ、更に泡がキメ細かくクリーミーで、すすぎ時のきしみが軽減され、洗い上り後がさっぱりするといった感触の改善された洗浄剤組成物をも提供するものである。
【００１６】
このような界面活性剤としては、カルボン酸塩型（但し、成分（Ａ）及び成分（Ｂ）を除く）、スルホコハク酸塩型を除くアルキルスルホン酸塩型、エステルスルホン酸塩型若しくはＮ−アシルスルホン酸塩型のスルホン酸塩型、又は硫酸エステル塩型などの陰イオン界面活性剤；アルキルグリコシド型、脂肪族アルカノールアミド型などの非イオン界面活性剤；及びベタイン型の両性イオン界面活性剤が挙げられる。
【００１７】
以下、本発明の洗浄剤組成物の第三成分として用いる各種の界面活性剤を順次詳しく説明する。
【００１８】
まず、陰イオン界面活性剤について説明する。
【００１９】
カルボン酸塩型陰イオン界面活性剤としては、例えば、Ｎ−アシルアミノカルボン酸塩型陰イオン界面活性剤が挙げられる。
【００２０】
Ｎ−アシルアミノカルボン酸塩型陰イオン界面活性剤において、そのアシル基は、炭素原子数８〜２２の飽和又は不飽和脂肪酸のアシル残基であり、例えば、ラウリン酸、ミリスチン酸、パルミチン酸、ステアリン酸、オレイン酸などの単一組成の脂肪酸のアシル残基が挙げられ、この他にヤシ油脂肪酸、牛脂脂肪酸、硬化牛脂脂肪酸、ヒマシ油脂肪酸、オリーブ油脂肪酸、パーム油脂肪酸などの天然より得られる混合脂肪酸あるいは合成により得られる脂肪酸（分岐脂肪酸を含む）によるアシル残基であってもよい。そして、これに結合するアミノカルボン酸は、例えば、グルタミン酸、アスパラギン酸、システイン酸、ホモシステイン酸などの酸性アミノ酸、グリシン、アラニン、バリン、ロイシン、イソロイシン、フェニルアラニン、トリプトファン、ザルコシン、β−アラニン、γ−アミノ酪酸、ε−アミノカプロン酸、セリン、ホモセリン、チロシン、プロリン、ヒドロキシプロリン、シスチン、システイン、メチオニンなどの中性アミノ酸、リジン、オルニチン、アルギニンなどの塩基性アミノ酸等である。これらのアシルアミノカルボン酸は、光学活性体及びラセミ体のいずれも用いることができる。
【００２１】
スルホン酸塩型陰イオン界面活性剤としては、スルホコハク酸塩型陰イオン界面活性剤を除くアルキルスルホン酸塩型、エステルスルホン酸塩型若しくはＮ−アシルスルホン酸塩型の陰イオン界面活性剤が挙げられる。
【００２２】
また、上記アルキルスルホン酸塩型、エステルスルホン酸塩型若しくはＮ−アシルスルホン酸塩型の陰イオン界面活性剤としては、炭素原子数８〜２２の直鎖又は分岐鎖のアルキル又はアルケニルスルホン酸塩、炭素原子数１０〜１６の直鎖又は分岐鎖のアルキル基を有するアルキルベンゼンスルホン酸塩、及びアシル基が炭素原子数８〜２２の直鎖又は分岐鎖の飽和又は不飽和脂肪酸残基であるＮ−アシルスルホン酸塩又はＯ−アシルスルホン酸塩である。
【００２３】
具体例を挙げると、アルカンスルホン酸塩、α−オレフィンスルホン酸塩、アルキルベンゼンスルホン酸塩、アシルメチルタウリン塩、イセチオン酸脂肪酸エステル塩、α−スルホン化脂肪酸エステル塩などである。
【００２４】
硫酸エステル塩型陰イオン界面活性剤としては、例えば、アルキル硫酸塩、エーテル硫酸塩などの界面活性剤が挙げられる。
【００２５】
上記アルキル硫酸塩型陰イオン界面活性剤は、炭素原子数８〜２２の直鎖又は分岐鎖の飽和又は不飽和の高級アルコールと硫酸とのエステルの塩であり、例えば、ラウリル硫酸塩、ミリスチル硫酸塩、オレイル硫酸塩などが挙げられる。
【００２６】
また、上記エーテル硫酸塩型陰イオン界面活性剤は、前記アルキル硫酸塩のアルキレンオキサイド付加型であり、例えば、ポリオキシエチレンラウリルエーテル硫酸塩、ポリオキシエチレンミリスチルエーテル硫酸塩、ポリオキシエチレンオレオイルエーテル硫酸塩などが挙げられる。
【００２７】
これら各種陰イオン界面活性剤の塩基成分としては、ナトリウム、カリウムなどのアルカリ金属、マグネシウム、カルシウムなどのアルカリ土類金属、モノエタノールアミン、ジエタノールアミン、トリエタノールアミン、２−アミノ−２−メチル−１−プロパノール、２−アミノ−２−メチル−１，３−プロパンジオールなどの有機アミン、リジンオルニチン、アルギニンなどの塩基性アミノ酸及びアンモニア等が挙げられる。これら塩基成分は、単独で又は２種以上を組み合わせて用いることができる。
【００２８】
上記の各種陰イオン界面活性剤の配合割合は、目的とする製品の性能に応じて適宜決定されるが、通常、成分（Ａ）と成分（Ｂ）の合計重量に対して１／１５〜１５／１の範囲で配合される。
【００２９】
次に、本発明の洗浄剤組成物の第三成分として用いる非イオン界面活性剤について説明する。
【００３０】
アルキルグリコシドは、例えば、次の一般式（８）で表わされるものを例示することができる。
0003644074.tif 000009
（上記式中、Ｒ9 は直鎖又は分岐鎖を有する炭素原子数８〜１８のアルキル基又はアルケニル基を表し、Ｒ10は炭素原子数２〜４のアルキレン基を表し、Ｇは炭素原子数５〜６を有する還元糖に由来する残基であり、そしてｂはその平均値が０〜５であり、ｃはその平均値が１〜１０である。）
【００３１】
上記一般式（８）においてｃの平均値が１より大きい場合、つまり２糖以上の糖鎖を親水基とする場合、糖鎖の結合様式は１−２、１−３、１−４若しくは１−６結合、更にα−若しくはβ−ピラノシド若しくはフラノシド結合又はこれらの混合された結合様式を有する任意の混合物を含むことが可能である。また、ｂの値は水溶性および結晶性の見地から０〜２が好ましく、そしてｃの好ましい平均値は増泡効果の見地から約１〜３である。
【００３２】
Ｒ9 は直鎖又は分岐鎖を有する炭素原子数８〜１８のアルキル基、アルケニル基又はアルキルフェニル基であるが、溶解性、起泡性及び洗浄性より好ましい炭素原子数は１０〜１４である。また、Ｒ10は炭素原子数２〜４のアルキレン基であるが、水溶性などから好ましい値は２〜３である。さらに、Ｇは単糖又は２糖以上の原料によってその構造が決定されるが、このＧの原料としては、単糖ではグルコース、ガラクトース、キシロース、マンノース、リキソース、アラビノースなど及びこれらの混合物であり、２糖以上ではマルトース、キシロビオース、イソマルトース、セロビオース、ゲンチビオース、ラクトース、スクロース、ニゲロース、ツラノース、ラフィノース、ゲンチアノース、メレジトースなど及びこれらの混合物、等が挙げられる。これらのうち好ましい単糖類原料は、それらの入手性及び低コストのためグルコース、フルクトースであり、２糖以上ではマルトース、スクロースである。
【００３３】
これらのアルキルグリコシドは単独で又は２種以上を組み合わせて用いる。
【００３４】
脂肪族アルカノールアミドは、例えば、次の一般式（９）で表わされるものを例示することができる。
0003644074.tif 000010
（上記式中、Ｒ11は炭素原子数８〜２０のアルキル基を示し、Ｒ12及びＲ13は、同一又は異なっていて、水素原子、炭素原子数１〜３のヒドロキシアルキル基、又は−（Ｃ2 Ｈ4 Ｏ）d Ｈ基（ここで、ｄは２〜４の整数を示す）を示す。
【００３５】
上記式中、Ｒ11で示されるアルキル基の炭素原子数は１２〜１８が好ましく、Ｒ12及びＲ13についてはその組合せとしては、両方がヒドロキシアルキル基、特にヒドロキシエチル基である場合、及び一方がヒドロキシアルキル基、特にヒドロキシエチル基で他方が水素原子である場合が好ましい。
【００３６】
これらの脂肪族アルカノールアミドは、具体的には、例えば、椰子油脂肪酸モノエタノールアミド、椰子油脂肪酸ジエタノールアミド、ラウリン酸モノエタノールアミド、ラウリン酸ジエタノールアミドなどが挙げられる。これらは単独で又は２種以上を組み合わせて用いる。
【００３７】
上記の非イオン界面活性剤の配合割合は、目的とする製品の性能に応じて適宜決定できるが、通常、成分（Ａ）と成分（Ｂ）の合計重量に対して、一般式（５）で示されるアルキルグリコシドの場合は１／１５〜１５／１、そして一般式（６）で示される脂肪族アルカノールアミドの場合１／１００〜１／２の範囲で配合される。
【００３８】
本発明の洗浄剤組成物の第三成分として用いる両性イオン界面活性剤について説明する。
【００３９】
ベタイン型両性イオン界面活性剤としては、例えば、カルボベタイン型界面活性剤、アミドベタイン型界面活性剤、スルホベタイン型界面活性剤、ヒドロキシスルホベタイン型界面活性剤、アミドスルホベタイン型界面活性剤、ホスホベタイン界面活性剤等の界面活性剤が挙げられる。
【００４０】
このようなベタイン型界面活性剤は、換言すれば、例えば、炭素原子数８〜２４の、アルキル基、アルケニル基又はアシル基を有するベタイン型界面活性剤であり、より具体的には椰子油アルキルジメチルアミノ酢酸ベタイン、椰子油脂肪酸アミドプロピルジメチルアミノ酢酸ベタイン、ステアリルジヒドロキシエチルアミノ酢酸ベタイン、ラウリルヒドロキシスルホベタイン、ラウリルスルホベタイン、ラウリルホスホベタイン等が挙げられる。これらのベタイン型界面活性剤は単独で又は２種以上を組み合わせて用いることができる。
【００４１】
上記の各種両性イオン界面活性剤の混合割合は、目的とする製品の性能に応じて適宜決定でき、通常、成分（Ａ）と成分（Ｂ）の合計重量に対して、１／１５〜１５／１の範囲で配合される。
【００４２】
本発明の洗浄剤組成物における成分（Ａ）、成分（Ｂ）及び第三成分の合計の配合量は、洗浄剤組成物の剤型により異なるが、洗浄剤組成物に占める割合は５〜９５重量％であることが好ましい。
【００４３】
本発明の洗浄剤組成物の洗浄剤としての剤型には特別の制限はなく、液体状、ペースト状、ゲル状、固体状、粉末状等任意の剤型とすることができる。また、これら洗浄剤のｐＨとしては５〜９、好ましくは６〜８である。Ｎ−アシルスレオニン塩を用いた本発明の洗浄剤組成物は、Ｎ−アシルアラニン塩、Ｎ−アシルグリシン塩等の他のＮ−アシル中性アミノ酸塩を用いたものと異なり、ｐＨ７以下でも泡性能が低下しないため、皮膚などへの刺激の少ないものとすることができる。
【００４４】
本発明の洗浄剤組成物には、洗浄剤組成物におけるその他の常用成分を本発明の効果を阻害しない範囲で添加することができる。洗浄剤組成物におけるその他の常用成分としては、ジグリセリン、オクタンジオール、マルチトール、ジエチレングリコール、ポリエチレングリコール、エチレングリコール、プロピレングリコール、ジプロピレングリコール、ポリプロピレングリコール、イソプロピレングリコール、ペンタエリスリトール、グルコース、トレハロース、フルクトース、１，３−ブチレングリコール、グリセリン、ソルビトールなどの多価アルコール；ＤＬ−ピロリドンカルボン酸ナトリウム、乳酸ナトリウムなどの保湿剤；モノステアリン酸グリセリン、モノパルミチン酸ソルビタン、モノステアリン酸ソルビタン、モノオレイン酸ソルビタン、モノセスキオレイン酸ソルビタン、モノラウリン酸ソルビタン、ポリグリセリンモノステアレート、ポリオキシエチレンセチルエーテル、ポリオキシエチレンステアリルエーテル、ポリオキシエチレンソルビタンモノラウレート、ジグリセリンモノステアリン酸エステル、モノステアリン酸ポリエチレングリコール、モノオレイン酸ポリエチレングリコール、モノラウリン酸ポリエチレングリコール、ジステアリン酸ポリエチレングリコール、ジオレイン酸ポリエチレングリコール、ジラウリン酸ポリエチレングリコール、ポリオキシエチレンオレイルエーテル、ポリオキシエチレンラウリルエーテル、ポリオキシエチレンノニルフェニルエーテル、ポリオキシエチレンオクチルフェニルエーテル、ポリオキシエチレンソルビットミツロウ、モノステアリン酸ポリオキシエチレンソルビタン、モノオレイン酸ポリオキシエチレンソルビタン、モノラウリン酸ポリオキシエチレンソルビタン、モノステアリン酸エチレングリコールなどの乳化剤；アボガド油、アルモンド油、オリーブ油、カカオ油、牛脂、ゴマ油、小麦胚芽油、サフラワー油、シアバター、タートル油、ツバキ油、パーシック油、ヒマシ油、ブドウ油、マカデミアナッツ油、ミンク油、卵黄油、モクロウ、ヤシ油、ローズヒップ油、大豆油、綿実油、硬化油などのトリグリセリド；オレンジラフィー油、カルナウバロウ、キャンデリラロウ、鯨ロウ、ホホバ油、モンタロウ、ミツロウ、ラノリンなどのロウ；流動パラフィン、パラフィン、ワセリン、セレシン、マイクロクリスタリンワックス、固形パラフィン、スクワラン、オレフィンオリゴマーなどの炭化水素類；ラウリルアルコール、セチルアルコール、セトステアリルアルコール、ステアリルアルコール、オレイルアルコール、ベヘニルアルコール、ラノリンアルコール、水素添加ラノリンアルコール、ヘキシルデカノール、オクチルドデカノール、イソステアリルアルコール、ホホバアルコール、デシルテトラデカノールなどの高級アルコール類；コレステロール、ジヒドロキシコレステロール、フィトステロールなどのステロール類；オレイン酸オレイル、リノール酸エチル、ミリスチン酸イソプロピル、ラノリン酸イソプロピル、ラウリン酸ヘキシル、ミリスチン酸ミリスチル、ミリスチン酸セチル、パルミチン酸イソプロピル、ステアリン酸ステアリル、ミリスチン酸オクチルドデシル、オレイン酸デシル、オレイン酸オクチルドデシル、ジメチルオクタン酸ヘキシルデシル、イソオクタン酸セチル、パルミチン酸セチル、トリミリスチン酸グリセリン、トリ（カプリル・カプリン酸）グリセリン、ジオレイン酸プロピレングリコール、トリイソステアリン酸グリセリン、トリイソオクタン酸グリセリン、乳酸セチル、乳酸ミリスチル、リンゴ酸ジイソステアリル、ステアリン酸コレステリル、イソステアリン酸コレステリル、１２−ヒドロキシステアリン酸コレステリル、ピログルタミン酸オレイン酸グリセリル、ジ（コレステロール、ベヘニル、オクチルドデシルアルコール）−Ｎ−ラウロイル−Ｌ−グルタミン酸エステル、２−エチルヘキサン酸トリグリセリドなどのエステル類；メチルセルロース、ヒドロキシエチルセルロース、ヒドロキシプロピルセルロース、エチルセルロース、ニトロセルロース、カルボキシメチルセルロースナトリウム、カルボキシビニルポリマー、ポリビニルメチルエーテル、ポリビニルアルコール、結晶セルロース、アラビアゴム、トラガントガム、グァーガム、ローカストビーンガム、カラヤガム、アイリスモス、クインスシード、ゼラチン、セラック、ロジン、カゼイン、アルギン酸ナトリウム、エステルガム、ポリビニルピロリドン、ポリアクリル酸ナトリウム、ポリアミド樹脂、シリコン油、キチン、部分脱アセチル化キチン、加水分解コラーゲン、ポリアスパラギン酸、ポリグルタミン酸ナトリウム、キサンタンガムなどの高分子；クレゾール誘導体、パラベン誘導体などの防腐防カビ剤；抗炎症剤、生薬、ビタミン類、発毛促進剤、美白剤、紫外線吸収剤、ホルモンなどの薬剤あるいは効能素材；ｐＨ調整剤、感触向上剤、過脂剤、無機塩、アミノ酸、パール化剤、粘度調整剤、香料、色素、柔軟剤、緩和剤などの香粧品素材；エチレンジアミンテトラ酢酸、クエン酸、マレイン酸、コハク酸、アスコルビン酸、ケファリン、グルコン酸、サッカリン酸、ヘキサメタリン酸、１−ヒドロキシエタン−１，１−ジホスホン酸、ジヒドロキシエチルグリシン、あるいはこれらの塩などのキレート剤；胎盤抽出物、カンゾウエキス、ハマメリス水、ヘチマ水、エラスチン、アロエ抽出物、カモミラエキスなどの動物あるいは植物抽出成分等を挙げることができる。
【００４５】
【実施例】
以下、実施例により本発明を更に詳細に説明する。
製造例１（Ｎ−アシルスルオニン塩）
Ｎ−ラウロイル−Ｌ−スレオニンを特公昭５１−３８６８１号公報記載の方法により合成した。副生した不純物を再結晶により取り除き、高純度のＮ−ラウロイル−Ｌ−スレオニンを得、水酸化カリウム又はトリエタノールアミンで中和することによりＮ−ラウロイル−Ｌ−スレオニンカリウム塩及びＮ−ラウロイル−Ｌ−スレオニントリエタノールアミン塩をそれぞれ得、これを以下の実施例において使用した。
【００４６】
（ａ）比較例１〜４及び実施例１〜４（泡の保持性及びクリーミー性評価並びに官能評価）：
製造例１で得たＮ−ラウロイル−Ｌ−スレオニンカリウム塩（以下、ラウロイルスレオニンＫと略記することがある）及びＮ−ラウロイル−Ｌ−スレオニントリエタノールアミン塩（以下、ラウロイルスレオニンＴＥＡと略記することがある）と、ラウリン酸カリウム塩（以下、ラウリン酸Ｋと略記することがある）及びラウリン酸トリエタノールアミン塩（以下、ラウリン酸ＴＥＡと略記することがある）とを後記第３表に示す種々の割合（重量比）で採って、蒸留水で界面活性剤の合計濃度が０．５重量％の濃度の水溶液を調製した。
各水溶液について、その５０ｇを採り、３５０ｍｌ容の家庭用ミキサー（岩谷産業（株）製）により撹拌し、１分間及び１０分間放置後の泡の体積（ml）を測定することにより、泡量及び泡保持性（泡保持率）を評価した。また、クリーミー性は、泡立て直後の泡をスライドガラスにのせた後カバーガラスをかけ、顕微鏡で観察して評価した。下記第１表に各評価項目の評価基準を示す。
【００４７】
【表１】
0003644074.tif 000011
また、頭髪及び身体用洗浄剤として、男女各１０人のパネラーの官能評価により洗浄の感触として、泡の感触、きしみ感及びさっぱり感を評価し、また総合評価を行なった。官能評価に際しては、手洗い試験及び洗髪試験を、それぞれ第３表に示す割合で界面活性剤を採り、蒸留水で濃度３０％及び１５％の水溶液を調製し、各水溶液について行った。各評価項目の評価基準を下記第２表に示す。なお、総合評価において、３点以下では実使用に不十分であり、４点以上が実使用において十分満足できるものであることが分かった。
【００４８】
【表２】
0003644074.tif 000012
評価結果を下記第３表に併記する。
【００４９】
【表３】
0003644074.tif 000013
第３表から分かるように、Ｎ−アシルスレオニン塩単独では泡の保持率及び泡のクリーミー性の点で十分でないにもかかわらず、Ｎ−アシルスレオニン塩に対して高級脂肪酸塩を添加することにより泡の保持率及び泡のクリーミー性が向上している。そして、泡の感触、きしみ感及びさっぱり感といった使用感も両者の相乗効果により改善されている。
【００５０】
（ｂ）比較例５〜２４及び実施例５〜４０：
Ｎ−ラウロイルスレオニン塩、高級脂肪酸塩及び第三成分である他の界面活性剤として陰イオン界面活性剤を第４表に、陽イオン界面活性剤を第５表に、非イオン界面活性剤を第６表に、そして両性イオン界面活性剤を第７表に示す種々の割合で採って、前記実施例と同様の方法で評価を行った。評価結果を第４〜７表に併記する。
【００５１】
【表４】
0003644074.tif 000014
【００５２】
【表５】
0003644074.tif 000015
【００５３】
【表６】
0003644074.tif 000016
【００５４】
【表７】
0003644074.tif 000017
【００５５】
【表８】
0003644074.tif 000018
【００５６】
【表９】
0003644074.tif 000019
【００５７】
【表１０】
0003644074.tif 000020
第４〜７表の結果から分かるように、Ｎ−ラウロイルスレオニン塩、高級脂肪酸塩及び他の界面活性剤を配合した三成分系では、他の二成分系に比較して泡の性能が向上し、使用感も改善されている。本発明の洗浄剤組成物は、総合評価で５点を含み全てが４点以上となり、実使用に優れたものである。
【００５８】
（ｃ）実施例４１
下記第８表に示す各成分を各表に示す配合割合（重量比）で混合し、常法により種々の洗浄剤組成物を製造した。これら洗浄剤組成物は、泡量、泡保持及び泡のクリーミー性に優れ、また使用感にも優れたものであった。
【００５９】
【表１１】
0003644074.tif 000021
【００６０】
【発明の効果】
本発明の洗浄剤組成物は、洗浄に際しては、泡立ちに優れ、皮膚及び毛髪に対して刺激が少なく、泡の保持に優れ、泡質もクリーミーであり、すすぎ時にきしみ感もなく、さっぱりとしていて使用感に優れたものである。また、これまで界面活性剤としては、十分に利用されていなかったＮ−アシルスレオニン塩の利用が可能となった。